(57)【要約】【課題】異物の侵入を防ぐと共に簡単な構造とする。【解決手段】ハーネス収容部６を有するケース２と、ケースに沿って進退する可動体３と、可動体に一端部を支持し、ケースに他端部を支持して、ハーネス収容部内で屈曲するワイヤハーネス４とで成るスライドシート用給電装置１で、ケース２に可動体３を挿通するスリット部１０を形成し、スリット部に対向してケース底部１１との間で異物侵入空間５３を形成し、空間５３を仕切壁１４，１５を介してハーネス収容部６から隔離した。ケース底部１１に異物排出用の孔部１２を設けた。ワイヤハーネス４の各電線４ａを並列に扁平に配列させるハーネス配索部２１と、ハーネス配索部に続き、各電線を断面円形状に束ねるハーネス固定部２２とで可動体３を構成した。可動体３がケース２に非接触ないしほぼ非接触で位置するように、可動体とケースとの間に隙間を設けた。【選択図】図１
2005059745.tif 000002
【特許請求の範囲】
【請求項１】
ハーネス収容部を有するケースと、該ケースに沿って進退する可動体と、該可動体に一端部が支持され、該ケースに他端部が支持され、該ハーネス収容部内で屈曲されるワイヤハーネスとで構成されるスライドシート用給電装置であって、該ケースに該可動体を挿通するスリット部が形成され、該スリット部に対向してケース底部との間で異物侵入空間が形成され、該異物侵入空間が仕切壁を介して該ハーネス収容部から隔離されたことを特徴とするスライドシート用給電装置。
【請求項２】
前記ケース底部に異物排出用の孔部が設けられたことを特徴とする請求項１記載のスライドシート用給電装置。
【請求項３】
前記仕切壁が上側と下側の各仕切壁で構成され、上下の各仕切壁の間に可動体挿通用の第二のスリット部が形成されたことを特徴とする請求項１又は２記載のスライドシート用給電装置。
【請求項４】
前記可動体が、前記ワイヤハーネスの各電線を並列に扁平に配列させるハーネス配索部と、該ハーネス配索部に続き、各電線を断面円形状に束ねるハーネス固定部とで構成されたことを特徴とする請求項１〜３の何れか１項に記載のスライドシート用給電装置。
【請求項５】
前記可動体が前記ケースに非接触ないしほぼ非接触で位置するように、該可動体と該ケースとの間に隙間が設けられたことを特徴とする請求項１〜４の何れか１項に記載のスライドシート用給電装置。
【請求項６】
前記可動体がスライドシート側に前記スリット部の間でスライド直交方向に移動自在に連結されたことを特徴とする請求項１〜５の何れか１項に記載のスライドシート用給電装置。
【請求項７】
前記ケースの幅方向両側に、車両フロアの充填材に刺し込まれる固定用の爪部が設けられたことを特徴とする請求項１〜６の何れか１項に記載のスライドシート用給電装置。
【発明の詳細な説明】
【技術分野】
【０００１】
本発明は、自動車のスライドシート内の補機に電力を供給するためのスライドシート用給電装置に関し、異物の侵入防止やスライド移動のスムーズ化等を図ったものである。
【背景技術】
【０００２】
自動車のシートにはスライド駆動用のモータや乗員検知センサやヒータといった種々の補機が設置されており、これらの補機に電源を供給するために、従来種々のスライドシート用給電装置が提案されている。
【０００３】
図１１〜図１２は従来のスライドシート用給電装置の一形態を示すものである（特許文献１参照）。
【０００４】
この給電装置６１は、略矩形筒状のケース６２と、ケース６２に沿ってシートスライド方向に移動するスライダ６３と、スライダ６３に一端を支持され、他端をケース端部に固定されて、ケース内で略Ｕ字状に屈曲されたフラットハーネス６４とを備えるものである。
【０００５】
ケース６２は上壁６６にスライダ６３の内側部分を挿通させるスリット部６５を有し、スリット部６５は天壁７５で覆われて外部から隠されている。フラットハーネス６４は縦置きに配置され、一端がスライダ側のコネクタ６７に続き、他端がケース端部の固定側のコネクタ６８に続いている。スライダ側のコネクタ６７はハーネス７４（図１２）を介してシート側の各補機に接続されている。ケース端部のコネクタ６８はハーネス（図示せず）を介して電源やスイッチに接続されている。
【０００６】
図１２で、符号６９はシート、７０は車両ボディ、７１はガイドレール、７２はガイドレール７１にスライド自在に係合するローラ部、７３はウレタン等の発泡材をそれぞれ示している。
【特許文献１】特開平１０−１１２９２２号公報（第３〜４頁、図３〜５）
【発明の開示】
【発明が解決しようとする課題】
【０００７】
しかしながら、上記従来のスライドシート用給電装置６１にあっては、ケース６２の天壁７５と上壁６６とでラビリンスを構成しているとはいっても、乗員がジュースや菓子類を零したり、靴底の砂が落ちたりした場合に、ケース６２の天壁７５と上壁６６との間を経てスリット６５からケース内にこれら異物が侵入する心配が全くない訳ではなかった。また、ケース６２の上壁６６や天壁７５を複雑な形状に成形したり、スライダ６３にフラットハーネス６４を保持させたりする関係で、構造が複雑化し、部品コストが高くつくという懸念があった。また、回路体としてフラットハーネス６４を用いる関係で、部品コストが高くつくと共に、回路数が限定されて車種ごとの汎用性が低いという問題があった。また、シート６９とケース６２との間をワイヤハーネス７４で接続している関係で、シート６９のスライド動作に伴ってワイヤハーネス７４が曲げ方向に引っ張られたり屈曲したりして、ワイヤハーネス７４の寿命が低下するという懸念もあった。
【０００８】
本発明は上記した点に鑑み、ジュースや砂等の異物の侵入を確実に防止することができ、しかも構造が簡単で低コストで、車種ごとの汎用性が高く、また、シートのスライド動作に伴うワイヤハーネスの傷みを防止し得るスライドシート用給電装置を提供することを目的とする。
【課題を解決するための手段】
【０００９】
上記目的を達成するために、本発明の請求項１に係るスライドシート用給電装置は、ハーネス収容部を有するケースと、該ケースに沿って進退する可動体と、該可動体に一端部が支持され、該ケースに他端部が支持され、該ハーネス収容部内で屈曲されるワイヤハーネスとで構成されるスライドシート用給電装置であって、該ケースに該可動体を挿通するスリット部が形成され、該スリット部に対向してケース底部との間で異物侵入空間が形成され、該異物侵入空間が仕切壁を介して該ハーネス収容部から隔離されたことを特徴とする。
【００１０】
上記構成により、スリット部内に侵入したジュースや砂等の異物は仕切壁に沿って落下しつつケース底部に溜まる。ハーネス収容部と異物侵入空間とが仕切壁で分離されているから、ケース底部に溜まった異物がハーネス収容部内に侵入することが防止される。ワイヤハーネスは可動体に沿って配索されてスライドシート側の回路に接続され、ケース側から電源側の回路に接続される。スライドシートの進退と同時に可動体が進退する。ケースと可動体と複数本の電線で成るワイヤハーネスとでスライドシート用給電装置が簡単な構造に仕上がる。
【００１１】
請求項２に係るスライドシート用給電装置は、請求項１記載のスライドシート用給電装置において、前記ケース底部に異物排出用の孔部が設けられたことを特徴とする。
【００１２】
上記構成により、ケース底部に落下した異物は異物排出用の孔部からすぐに外部に排出される。これにより、異物侵入空間が異物で満たされることがなくなる。
【００１３】
請求項３に係るスライドシート用給電装置は、請求項１又は２記載のスライドシート用給電装置において、前記仕切壁が上側と下側の各仕切壁で構成され、上下の各仕切壁の間に可動体挿通用の第二のスリット部が形成されたことを特徴とする。
【００１４】
上記構成により、請求項１のスリット部（第一のスリット部）と第二のスリット部とを経てケース内に屈曲形状の可動体が挿通される。上側の仕切壁で第一のスリット部からの直接的な異物の侵入が防止される。上下の仕切壁に沿って異物がケース底部に落下する。ケース底部とはケースの最も低い部分ではなく、異物侵入空間の底部である。
【００１５】
請求項４に係るスライドシート用給電装置は、請求項１〜３の何れか１項に記載のスライドシート用給電装置において、前記可動体が、前記ワイヤハーネスの各電線を並列に扁平に配列させるハーネス配索部と、該ハーネス配索部に続き、各電線を断面円形状に束ねるハーネス固定部とで構成されたことを特徴とする。
【００１６】
上記構成により、通常の絶縁被覆電線をハーネス配索部に並列に配置することで、ハーネス配索部を挿通させるケースの各スリット部を幅狭に設定することができ、これによりスリット部からの異物の侵入（の確率）が極力抑えられる。また、ハーネス収容部内に各電線を断面円形状のワイヤハーネスとして配索することで、ワイヤハーネスのもつ剛性（復元性）によってハーネス収容部内でワイヤハーネスをＪ字状ないしＵ字状にスムーズに屈曲させることができる。
【００１７】
請求項５に係るスライドシート用給電装置は、請求項１〜４の何れか１項に記載のスライドシート用給電装置において、前記可動体が前記ケースに非接触ないしほぼ非接触で位置するように、該可動体と該ケースとの間に隙間が設けられたことを特徴とする。
【００１８】
上記構成により、スライドシート移動時の可動体とケースとの間の摩擦力（摺動抵抗）が極めて低く抑えられ、スライドシートと可動体との間のハーネス部分に曲げ方向の大きな引張力が作用することが防止される。また、可動体とケースの摩耗が防止される。
【００１９】
請求項６に係るスライドシート用給電装置は、請求項１〜５の何れか１項に記載のスライドシート用給電装置において、前記可動体がスライドシート側に前記スリット部の間でスライド直交方向に移動自在に連結されたことを特徴とする。
【００２０】
上記構成により、可動体がケース幅方向に自在に位置ずれ吸収されて、可動体とケースとの摺動摩擦が極めて低く抑えられる。これにより、スライドシートと可動体との間のハーネス部分に曲げ方向の大きな引張力が作用することが防止され、且つ可動体とケースの摩耗が防止される。
【００２１】
請求項７に係るスライドシート用給電装置は、請求項１〜６の何れか１項に記載のスライドシート用給電装置において、前記ケースの幅方向両側に、車両フロアの充填材に刺し込まれる固定用の爪部が設けられたことを特徴とする。
【００２２】
上記構成により、充填材に差し込まれた爪部によって車両搭載時や経時的なケースの内向きの変形が防止され、可動体とケースとの接触が極力抑えられ、長期に渡って請求項５，６の作用効果が保証される。また、車体側へのケースの固定が容易に行われ、ケースの組付作業性が向上する。
【発明の効果】
【００２３】
以上の如く、請求項１記載の発明によれば、ケース底部に溜まった異物が仕切壁によってハーネス収容部内に侵入することが防止されるから、異物によるワイヤハーネスの漏電や錆や屈曲不良等の不具合が防止され、スライドシートへの給電の信頼性が向上する。また、ケースと可動体と通常のワイヤハーネスとで簡単な構造で低コストなスライドシート用給電装置を提供できる。
【００２４】
請求項２記載の発明によれば、ケース底部に落下した異物は異物排出用の孔部からすぐに外部に排出されるから、仕切壁を越えてハーネス収容部内に異物が侵入する危険が皆無となり、請求項１の効果が助長される。
【００２５】
請求項３記載の発明によれば、上下の仕切壁によってハーネス収容部内への異物の侵入が確実に防止されるから、上記発明の効果が一層助長される。
【００２６】
請求項４記載の発明によれば、通常の絶縁被覆電線を用いてワイヤハーネスを構成することができる（可動体の扁平なハーネス配索部によってスリット部からの異物の侵入を極力抑えることができる）から、回路数の変更等に容易に且つ低コストで対応することができ、種々のスライドシートに対する汎用性が高まると共に給電装置が低コスト化される。
【００２７】
請求項５記載の発明によれば、スライドシートと可動体との間のハーネス部分に曲げ方向の大きな引張力が作用することが防止されるから、ワイヤハーネスの傷みや変形等が防止され、スライドシートへの給電の信頼性が向上すると共に、スライドシートのスライド操作性が高まり、且つケースや可動体の摩耗が防止されて、給電装置の寿命が向上し、ケース内への摩耗粉の侵入が防止される。
【００２８】
請求項６記載の発明によれば、請求項５と同様にスライドシートと可動体との間のハーネス部分に曲げ方向の大きな引張力が作用することが防止されることで、ワイヤハーネスの傷みや変形等が防止され、スライドシートへの給電の信頼性が向上すると共に、スライドシートのスライド操作性が高まる。
【００２９】
請求項７記載の発明によれば、ケースの内向きの変形が防止されるから、可動体とケースとの接触が極力抑えられ、請求項５，６の効果が保証される。
【発明を実施するための最良の形態】
【００３０】
以下に本発明の実施の形態を図面に基づいて詳細に説明する。
【００３１】
図１〜図２は本発明に係るスライドシート用給電装置の一実施形態を示すものである。
【００３２】
このスライドシート用給電装置１は、合成樹脂製のケース２と、ケース２の長手方向に移動する合成樹脂製の可動体３と、可動体３とケース端部を結ぶ複数本の被覆電線４ａでなるワイヤハーネス４とで構成されている。
【００３３】
ケース２は、ロングスライドシート（長いスライドストロークのシート）に対応して長く延長された略矩形筒状の可動体移動部分５と、可動体移動部分５よりも幅狭に形成され、可動体移動部分５の一側寄りにオフセットして続くハーネス収容部６とで構成されている。
【００３４】
可動体移動部分５は外観が略矩形筒状に延長された前半部５ａと、ハーネス収容部６内のハーネス収容空間７（図２）に連通する可動体移動空間８を有する後半部５ｂとで構成され、可動体移動部分５の他側部すなわちハーネス収容部６のオフセット方向とは反対側の部分に異物排出部９が形成されている。なお、前半部５ａと後半部５ｂは給電装置１の取付方向によっては後半部と前半部になり得る。
【００３５】
異物排出部９は可動体３を挿通させる第一のスリット部１０と、スリット部１０の下側に位置する底壁（ケース底部）１１に形成された異物排出用の孔部１２と、底壁１１から立ち上げられてスリット部１１に隣接する外側の垂直な高い壁部１３と内側の垂直な低い壁部（下側の仕切壁）１４と、内側の低い壁部１４の上側に可動体挿通用の第二のスリット部１６を介して形成された垂直な鍔状の壁部（上側の仕切壁）１５とで構成されている。第一のスリット部１０に対向して底壁１１との間で異物侵入空間５３が形成されている。
【００３６】
下側の仕切壁１４は、底壁１１に落ちた異物が第二のスリット部１６の内側すなわちハーネス移動空間（符号８で代用）やハーネス収容空間７内に侵入しないように阻止する。また、上側の鍔状の仕切壁１５は第一のスリット部１０内に侵入した異物を底壁１１に向けて落下させるように導く。底壁１１の下側には外部空間１７（図２）が位置し、異物排出用の孔部１２は外部に開口されている。孔部１２の形状はスリット状でも円形でも長方形でもどのような形であってもよく、底壁（底部）１１が開口状に完全に抜けているものであってもよい。
【００３７】
上下の仕切壁１４，１５は断面コの字状の壁部１８に直交して続き、断面コの字状の壁部１８の内側にハーネス移動空間（８）が構成されている。ハーネス移動空間（８）は可動体移動空間８の一部をなすものである。すなわち、可動体３は異物侵入防止壁である上下の仕切壁１４，１５の内側と外側の各空間を移動するのに対し、ワイヤハーネス４は上下の仕切壁１４，１５の内側の空間（８）を移動する。
【００３８】
コの字状の壁部１８はケース２の後半部５ｂにおいて下側のハーネス収容部６に一体に続き、底部にハーネス収容部内の空間７に連通する開口を有している（コの字状の壁部１８はケース後半部５ｂにおいてＬ字状の壁部となってハーネス収容部６に一体化されている）。
【００３９】
ハーネス収容部６は本形態で前後左右及び下側の各壁部で略台形状に形成されている。前側の壁部に固定側のコネクタ１９が設けられ、ワイヤハーネス（複数本の電線）４は断面略円形状に束ねられてコネクタ１９から上側の可動体３にかけて略Ｕ字ないしＪ字状に屈曲して続いている。コネクタ１９はハウジング内部に複数の端子を有して構成される。ケース２は例えば上側の壁部又は側方の壁部を別体で形成してこれら壁部を係止手段でケース本体に固定させるようにすることが樹脂成形性の観点から好ましい。
【００４０】
可動体３は図３（ａ）（ｂ）に一例を示す如く、断面略Ｌ字状のフラット（扁平）なハーネス配索部２１と、ハーネス配索部２１に続き、断面円形のハーネス挿通孔２３を有するハーネス固定部２２とで構成されている。
【００４１】
ハーネス配索部２１は垂直な部分２１ａと水平な部分２１ｂとで構成され、垂直な部分２１ａはベース２４とカバー２５とで構成され、水平な部分２１ｂはベース２６のみで構成されて一水平面上で略Ｌ字状に屈曲している。各ベース２４，２６及びカバー２５は基壁の両側に低い縁壁２７を有している。ベース２４とカバー２５は例えば突起と凹部といった係止手段２８で係止されることが好ましい。ハーネス配索部２１には被覆電線４ａ（図１）が一本づつ並列にフラットに配置される。垂直なハーネス配索部分２１ａの電線４ａはコネクタ４７（図１）に続く。
【００４２】
ハーネス固定部２２は一対の分割部２２ａ，２２ｂで構成され、一方の分割部２２ａは水平なハーネス配索部分２１ｂに一体に続いている。両分割部２２ａ，２２ｂは薄肉のヒンジ２９で連結され、両分割部２２ａ，２２ｂの内周面には例えば合成樹脂製の屈曲自在なコルゲートチューブを保持可能なように、コルゲートチューブの周溝に係合する突条３０が形成されることが好ましい。両分割部２２ａ，２２ｂは例えば爪部と孔部といった係止手段３１で相互に固定される。
【００４３】
コルゲートチューブは図１のハーネス収容部６の固定側のコネクタ１９からハーネス固定部２２の間でワイヤハーネス４の外周に被着される。ハーネス配索部２１にフラットに配索された各電線４ａはハーネス固定部２２において断面円形状に束ねられる。コルゲートチューブとして断面楕円形のものを使用する場合は、それと同じ形状にハーネス固定部２２の挿通孔２３が加工される。
【００４４】
可動体３は例えばＰＯＭ（ポリアセタール）等の摺動摩擦抵抗の低い材料で形成されることが好ましい。可動体３はハーネスクランプとして作用する。図２の実施形態で、可動体３とケース２との間には隙間３２が設けられており、可動体３はケース２のどの部分にも非接触でフローティングされることが好ましい。
【００４５】
スライドシート用給電装置１の他の実施形態として、図４（図２と同様の作用部分には同一の符号を付す）の如く、可動体３の垂直な基壁２４を下向きにケース２の異物防止用の下側の仕切壁１４に平行に延長させたり（符号３３の部分）、あるいはその延長部３３にローラ３４を回動自在に設けたり、あるいはケース２の可動体移動空間８を幅広に形成し、ハーネス収容部６を可動体移動空間８よりも幅狭に形成したりすることも有効である。これらの構成は各々単独で採用してもよく、あるいは組み合わせで用いてもよい。
【００４６】
可動体３はケース２のどの部分にも接触しないようにフローティングさせることが移動性や摩耗等の観点からベストであるが、スライドシート３５（図８）を移動させる長いガイドレール３６の寸法ばらつき等によって、可動体３がケース２に接してしまう場合に鑑みて、下側の延長部３３（図４）やローラ３４を設けたり、可動体３のハーネス固定部２２とケース２との間に十分な隙間４２（図４）を設けることで、可動体３の移動をスムーズに行わせることができる。
【００４７】
また、図５に示すように、可動体３をシート３５（図８）の例えば基台３７の垂直な壁部３８（図５）に対してシート幅方向に移動自在となるように、可動体３に水平な軸部３９を突設し、軸部３９を基台の壁部３８の孔に受け部４０を介して軸方向摺動自在に係合させてもよい。これにより、可動体３とケース２との摺動摩擦が低減し、可動体３のスムーズな移動が可能となる。
【００４８】
図１の実施形態においてケース２は車両のフロアに幅方向両側のブラケット４３でボルト固定されるが、例えば図６に示す如く、フロア下に装填する発泡スチロール等の発泡材（充填材）４４に刺し込む鋭利な爪部４５をケース２の幅方向両側の壁部に一体に設けておいてもよい。これら両側のブラケット４３や爪部４５によってケース２の内向きの倒れ変形が防止され、ケース内の可動体３との隙間が確保されて、可動体３のスムーズな移動が保証される。
【００４９】
図７〜図８は車両へのスライドシート用給電装置１の装着例を示すものであり、給電装置１はフロアの発泡材４４の内部（凹部内）に縦置き（垂直）に配置される。実線はシート３５の前進位置、鎖線はシート３５の後退位置を示し、シート３５の進退に伴ってケース内でワイヤハーネス４はＪ字状ないしＵ字状に屈曲しつつ進退する。図８で符号３６はガイドレール、４６はフロアパネルを示す。
【００５０】
本形態でワイヤハーネス４は可動体３から上向きに導出されてシート側の回路にコネクタ４７で接続されている。前述の如く可動体３は殆どケース２に接触していない（接触しても極めて低い摩擦抵抗で摺動する）から、シート３５の移動に伴って可動体３とコネクタ４７との間の電線４ａには大きな曲げ力が作用することがなく、電線４ａの傷みが防止される。この効果は、可動体３とコネクタ４７とを一体的に連結させることにより、さらに助長される。但し、可動体３とコネクタ４７とが分離されていた方が、コネクタ４７をシート側に接続させる際の作業性は良い。
【００５１】
図２，図８の如く可動体３の上向きの突出部分（垂直なハーネス配索部分）２１ａの下側に異物排出用の孔部１２が位置し、孔部１２の下側に発泡材４４で囲まれた空間４８が位置し、この空間４８に異物が収容される。
【００５２】
上記各実施形態は給電装置１を縦置きで使用した場合を示したが、図９〜図１０の如くスライドシート用給電装置５１をフロアに横置きに配置することも可能である。図１の実施形態と同様の作用部分には同一の符号を付して説明を省略する。
【００５３】
すなわち、図９の如くケース２’の上下の壁部４９，５０を幅広且つ同じ段付きなく均一な高さで平行に形成し、上側の壁部４９に可動体３を挿通させる第一のスリット部１０を設け、スリット部１０の下側の底壁（ケース底部）１１に異物排出用の孔部１２を設けると共に、少なくとも底壁１１から垂直な異物侵入防止用の仕切壁１４を立ち上げて、仕切壁１４でハーネス収容部６と異物排出部９とを区画（隔絶）し、仕切壁１４の上側に略Ｌ字ないしＴ字状の可動体３を挿通させる第二のスリット部１６を設けている。これらケース２’や可動体３の基本的な構成は図１の実施形態と同様である。
【００５４】
図１０の如く給電装置５１はシート３５の下側に水平（横置き）に配置され、可動体３の上向きの突出部分（フラットなハーネス配索部の垂直部分）２１ａでシート側の回路にコネクタ接続される。
【００５５】
なお、上記各実施形態において、ケース２，２’のハーネス収容部６の形状は台形に限定されるものではなく、矩形でもあるいはケースの全長に渡って切欠き（図９の符号５２）なく同一の高さ又は幅に形成されていてもよい。
【００５６】
また、可動体３の形状も適宜変更可能である。例えば、図３の可動体３の水平なハーネス配索部分２１ｂをＬ字に屈曲させることなく、直接ハーネス固定部２２に連結させてもよい。その際、ハーネス固定部２２の中間に孔部を設け、その孔部から各電線４ａをハーネス挿通孔２３内に導出させてもよい。また、ハーネス配索部のカバー２５やハーネス固定部の分割部２２ａ，２２ｂはヒンジを用いずに分離可能としてもよい。また、給電装置１は垂直と水平との間で斜めに配置することも可能である。
【００５７】
また、侵入する異物の量が少ないとみなされる場合は異物排出用の孔部１２は必ずしも必要とは言えず、下側の仕切壁１４と外側の壁部（側壁）１３と底壁１１とで囲まれた空間５３（図２）内に異物を溜めることも可能である。
【００５８】
また、図７で給電装置１の前後を逆に配置して、シート３５の前進位置において図７の鎖線のハーネス４の状態とし、シート３５の後退位置において実線のハーネス４の状態とするように構成することも可能である。
【図面の簡単な説明】
【００５９】
【図１】本発明に係るスライドシート用給電装置の一実施形態を示す一部を断面とした全体斜視図である。
【図２】同じくスライドシート用給電装置を示す縦断面図である。
【図３】同じく給電装置の可動体の一実施形態を示し、（ａ）は展開状態の斜視図、（ｂ）は組立状態の斜視図である。
【図４】スライドシート用給電装置の第一変形例を示す縦断面図である。
【図５】スライドシート用給電装置の第二変形例を示す縦断面図である。
【図６】スライドシート用給電装置の第三変形例を示す縦断面図である。
【図７】車両フロアへのスライドシート用給電装置の縦置きの装着状態を示す側方視断面図である。
【図８】同じくスライドシート用給電装置の縦置きの装着状態を示す前方視断面図である。
【図９】スライドシート用給電装置を横置きに配置する場合の実施形態を示す斜視図である。
【図１０】車両フロアへのスライドシート用給電装置の横置きの装着状態を示す前方視断面図である。
【図１１】従来のスライドシート用給電装置の一形態を示す斜視図である。
【図１２】同じく従来のスライドシート用給電装置の装着形態を示す前方視断面図である。
【符号の説明】
【００６０】
１          スライドシート用給電装置
２          ケース
３          可動体
４          ワイヤハーネス
４ａ        電線
６          ハーネス収容部
１０        第一のスリット部
１１        底壁（ケース底部）
１２        異物排出用の孔部
１４，１５  仕切壁
１６        第二のスリット部
２１        ハーネス配索部
２２        ハーネス固定部
３２        隙間
４４        発泡材（充填材）
４５        爪部
５３        異物侵入空間
【図１】
2005059745.tif 000003
【図２】
2005059745.tif 000004
【図３】
2005059745.tif 000005
【図４】
2005059745.tif 000006
【図５】
2005059745.tif 000007
【図６】
2005059745.tif 000008
【図７】
2005059745.tif 000009
【図８】
2005059745.tif 000010
【図９】
2005059745.tif 000011
【図１０】
2005059745.tif 000012
【図１１】
2005059745.tif 000013
【図１２】
2005059745.tif 000014